(57)【要約】【課題】衝撃や振動の影響を低減して蓄電装置の信頼性を向上させる。【解決手段】蓄電装置１であって、容器本体１０と、外部接続端子２１ａ、２１ｂが設けられた蓋部２０とを有するハウジング１ａと、ハウジング１ａ内に配置される、セルスタック３２を有する蓄電モジュール本体３０と、容器本体１０の底壁１０ａに対する蓄電モジュール本体３０の移動を規制するボルト１１と、蓋部２０に対する蓄電モジュール本体３０の移動を規制するサポート部材３５とを備える。【選択図】図２
2016072230.tif 000002
【特許請求の範囲】
【請求項１】
容器本体と、外部接続端子が設けられた蓋部とを有するハウジングと、
前記ハウジング内に配置される、セルスタックを有する蓄電モジュールと、
前記容器本体の底壁に対する前記蓄電モジュールの移動を規制する第一規制部と、
前記蓋部に対する前記蓄電モジュールの移動を規制する第二規制部と
を備える蓄電装置。
【請求項２】
前記第一規制部は、前記底壁に前記蓄電モジュールを固定し、
前記第二規制部は、前記蓋部に前記蓄電モジュールを固定する
請求項１に記載の蓄電装置。
【請求項３】
前記第二規制部は、前記セルスタックの両端に対応する位置に配置されている
請求項１又は２に記載の蓄電装置。
【請求項４】
前記第二規制部は、前記蓋部から前記底壁の方向に見て、前記蓄電モジュールが位置する領域外で、前記蓋部と接続されている
請求項１から３のいずれか１項に記載の蓄電装置。
【請求項５】
前記第二規制部は、前記蓋部から前記底壁の方向に見て、前記蓄電モジュールが位置する領域内で、前記蓋部と接続されている
請求項１から３のいずれか１項に記載の蓄電装置。
【請求項６】
前記第二規制部は、前記蓋部から前記底壁の方向に見て、前記蓄電モジュールが位置する領域内で、前記蓄電モジュールと接続されている
請求項１から５のいずれか１項に記載の蓄電装置。
【請求項７】
前記第二規制部は、前記蓄電モジュールとの接続部分と前記蓋部との接続部分との間に、屈曲部を有している
請求項１から６のいずれか１項に記載の蓄電装置。
【請求項８】
前記セルスタックは、配列された複数の蓄電素子を配列の両端から挟持するエンドプレートを有し、
前記第二規制部は、前記エンドプレートに固定される
請求項１から７のいずれか１項に記載の蓄電装置。
【請求項９】
前記第二規制部は、前記蓄電モジュールから前記蓋部に向けて延設され、前記蓋部に形成された開口に挿入される
請求項１から８のいずれか１項に記載の蓄電装置。
【請求項１０】
前記セルスタックは、複数の蓄電素子が前記底壁から前記蓋部に向けて配列する向きに配置されている
請求項１から９のいずれか１項に記載の蓄電装置。
【発明の詳細な説明】
【技術分野】
【０００１】
本発明は、例えば二次電池等の蓄電素子を備える蓄電装置に関する。
【背景技術】
【０００２】
二次電池は、一次電池の置きかえ用途はもとより、携帯電話、ＩＴ機器などの電子機器の電源として広く普及している。とりわけ、リチウムイオン二次電池に代表される非水電解質二次電池は、高エネルギー密度であることから、電気自動車などの電気機器へも応用されており、この場合、高出力化、大容量化を意図し、複数の二次電池を有する蓄電モジュール（電源モジュール）としての使用が一般的になっている。
【０００３】
蓄電モジュールは、複数の二次電池（蓄電素子）が単電池として配列されてなるセルスタックを有し、ハウジングに収容されることにより、可搬性を備え、外部負荷への搭載に適応した蓄電パック（以下、蓄電装置ともいう）として用いられる（例えば特許文献１の図１、図２等を参照）。
【先行技術文献】
【特許文献】
【０００４】
【特許文献１】特開２０１３−１６８３５５号公報
【発明の概要】
【発明が解決しようとする課題】
【０００５】
しかしながら、従来の蓄電装置においては、以下のような課題があった。すなわち、蓄電モジュールをハウジングに収納した１個の蓄電装置として、ハイブリッド車や電気自動車などに搭載して用いた場合、外部からの振動や衝撃が加えられることにより、ハウジング内で蓄電モジュールが振動又は揺動する。これは蓄電モジュールの損傷に繋がり、蓄電装置の信頼性を損なう恐れがある。
【０００６】
本発明は、上記の課題に鑑みてなされたものであり、蓄電モジュールへの衝撃や振動の影響を低減し、信頼性を向上させた蓄電装置を提供することを目的とする。
【課題を解決するための手段】
【０００７】
上記の目的を達成するために、本発明の一態様に係る蓄電装置は、容器本体と、外部接続端子が設けられた蓋部とを有するハウジングと、前記ハウジング内に配置される、セルスタックを有する蓄電モジュールと、前記容器本体の底壁に対する前記蓄電モジュールの移動を規制する第一規制部と、前記蓋部に対する前記蓄電モジュールの移動を規制する第二規制部とを備える。
【０００８】
これによれば、蓄電モジュールは、ハウジングの底壁に対して移動が規制されるとともに、ハウジングの蓋部に対しても移動が規制される。このため、蓄電モジュールをハウジングの上下で規制することで、蓄電装置が外部からの振動や衝撃を受けた場合でも、ハウジング内で蓄電モジュールが振動又は揺動するのを抑制することができ、蓄電装置の信頼性を向上させることができる。
【０００９】
また、前記第一規制部は、前記底壁に前記蓄電モジュールを固定し、前記第二規制部は、前記蓋部に前記蓄電モジュールを固定することにしてもよい。
【００１０】
これによれば、蓄電モジュールは、ハウジングの底壁に対して固定されるとともに、ハウジングの蓋部に対しても固定される。このため、蓄電モジュールをハウジングの上下で固定することで、蓄電装置が外部からの振動や衝撃を受けた場合に、ハウジング内で蓄電モジュールが振動又は揺動するのを効果的に抑制することができる。
【００１１】
また、前記第二規制部は、前記セルスタックの両端に対応する位置に配置されていることにしてもよい。
【００１２】
これによれば、第二規制部は、セルスタックの両端に対応する位置に配置されているため、蓄電モジュールは、上方の複数箇所にて固定されることとなり、蓄電モジュールが回転する向きに生ずる揺動を抑制することができる。
【００１３】
また、前記第二規制部は、前記蓋部から前記底壁の方向に見て、前記蓄電モジュールが位置する領域外で、前記蓋部と接続されていることにしてもよい。
【００１４】
これによれば、第二規制部は、上面視において、蓄電モジュールが位置する領域外で蓋部と接続されているため、第二規制部は蓄電モジュールから離れた位置に配置されることとなり、蓄電モジュールが回転する向きに生ずる揺動を効果的に抑制することができる。
【００１５】
また、前記第二規制部は、前記蓋部から前記底壁の方向に見て、前記蓄電モジュールが位置する領域内で、前記蓋部と接続されていることにしてもよい。
【００１６】
これによれば、第二規制部は、上面視において、蓄電モジュールが位置する領域内で蓋部と接続されているため、ハウジングの幅を小さく形成することができ、蓄電装置の小型化を図ることができる。
【００１７】
また、前記第二規制部は、前記蓋部から前記底壁の方向に見て、前記蓄電モジュールが位置する領域内で、前記蓄電モジュールと接続されていることにしてもよい。
【００１８】
これによれば、第二規制部は、上面視において、蓄電モジュールが位置する領域内で蓄電モジュールと接続されているため、ハウジングの幅を小さく形成することができ、蓄電装置の小型化を図ることができる。
【００１９】
また、前記第二規制部は、前記蓄電モジュールとの接続部分と前記蓋部との接続部分との間に、屈曲部を有していることにしてもよい。
【００２０】
これによれば、第二規制部は、蓄電モジュールとの接続部分と蓋部との接続部分との間に、屈曲部を有しているため、当該屈曲部が緩衝装置として機能し、蓄電装置に大きな衝撃が加わった際に当該衝撃を吸収して、蓄電モジュールへの影響を低減することができる。
【００２１】
また、前記セルスタックは、配列された複数の蓄電素子を配列の両端から挟持するエンドプレートを有し、前記第二規制部は、前記エンドプレートに固定されることにしてもよい。
【００２２】
これによれば、第二規制部は、配列された複数の蓄電素子を両端から挟持するエンドプレートに固定されるため、第二規制部を強固に蓄電モジュールに固定することができる。
【００２３】
また、前記第二規制部は、前記蓄電モジュールから前記蓋部に向けて延設され、前記蓋部に形成された開口に挿入されることにしてもよい。
【００２４】
これによれば、第二規制部は、蓋部に形成された開口に挿入されるため、第二規制部が当該開口の内壁と干渉することで、蓄電モジュールが蓋部に沿った方向、及び回転する方向への移動するのを規制することができる。
【００２５】
また、前記セルスタックは、複数の蓄電素子が前記底壁から前記蓋部に向けて配列する向きに配置されていることにしてもよい。
【００２６】
これによれば、セルスタックは、複数の蓄電素子がハウジングの底壁から蓋部に向けて配列する向きに配置されているため、複数の蓄電素子を配列方向に第一規制部と第二規制部とで挟み込んで、蓄電モジュールの移動を規制することができる。これにより、ハウジング内で蓄電モジュールが振動又は揺動するのを安定して抑制することができる。
【発明の効果】
【００２７】
以上のような本発明は、衝撃や振動の影響を低減して蓄電装置の信頼性を向上させることが可能になるという効果を奏する。
【図面の簡単な説明】
【００２８】
【図１】本発明の実施の形態１に係る蓄電装置の構成を示す斜視図
【図２】本発明の実施の形態１に係る蓄電装置の構成を示す分解斜視図
【図３】本発明の実施の形態１に係る蓄電モジュール本体の構成を示す分解斜視図
【図４】本発明の実施の形態１に係る蓄電装置の要部を示す模式的断面図
【図５】本発明の実施の形態１の変形例１に係る蓄電装置の構成を示す模式的断面図
【図６】本発明の実施の形態１の変形例２に係る蓄電装置の構成を示す分解斜視図
【図７】本発明の実施の形態２に係る蓄電装置の構成を示す分解斜視図
【図８】本発明の実施の形態２に係る蓄電モジュール本体の構成を示す分解斜視図
【図９】本発明の実施の形態２に係る蓄電モジュール本体の他の構成例を示す分解斜視図
【図１０】本発明の実施の形態３に係る蓄電装置の構成を示す分解斜視図
【図１１Ａ】本発明の実施の形態３に係る蓄電装置におけるサポート部の構成例を示す要部断面図
【図１１Ｂ】本発明の実施の形態３に係る蓄電装置におけるサポート部の構成例を示す要部断面図
【図１１Ｃ】本発明の実施の形態３に係る蓄電装置におけるサポート部の構成例を示す要部断面図
【図１２】本発明の実施の形態に係る蓄電装置の他の構成例を示す分解斜視図
【発明を実施するための形態】
【００２９】
以下、本発明の実施の形態について、図面を参照しながら説明する。なお、以下で説明する実施の形態は、本発明の一具体例を示すものである。以下の実施の形態で示される数値、形状、材料、構成要素、構成要素の配置位置及び接続形態などは、一例であり、本発明を限定する主旨ではない。また、以下の実施の形態に係る構成要素のうち、最上位概念を示す独立請求項に記載されていない構成要素については、任意の構成要素として説明される。また、各図は、蓄電装置の説明のための図であり、必ずしも厳密に図示したものではない。
【００３０】
（実施の形態１）
（１．蓄電装置）
図１は、本発明の実施の形態１に係る蓄電装置１の構成を示す斜視図であり、図２は、蓄電装置１の一部を分解した状態で蓄電装置１の構成を示す分解斜視図である。なお、図２は、図１に示された蓋部２０の上面部２０ｘを省略して図示している。
【００３１】
蓄電装置１は、図１に示すように、ポリプロピレン等の合成樹脂製の開口箱状の容器本体１０及び蓋部２０から構成される、外形六面体のハウジング１ａを備える蓄電パック（電源パック）である。容器本体１０は、矩形板状の底壁１０ａと、底壁１０ａの外周から立設した４枚の矩形板状の側壁１０ｂとを有する。蓋部２０は、容器本体１０の開口を塞ぐ矩形板状の部材であり、上面を形成する平板状の上面部２０ｘを有する。
【００３２】
また、蓋部２０には、外部接続端子２１ａ及び２１ｂが設けられている。つまり、蓄電装置１は、蓋部２０の上面から露出した、図示しない外部負荷と接続するための負極の電極端子である外部接続端子２１ａ及び正極の電極端子である外部接続端子２１ｂを有する。更に、蓄電装置１は、ハウジング１ａの内部空間と外部空間とを連通する排気筒２２を有する。
【００３３】
また、図２に示すように、蓄電装置１は、ハウジング１ａの容器本体１０の内部に、蓄電モジュール本体３０を収容している。蓄電モジュール本体３０は、容器本体１０の底壁１０ａ側から順に、セルスタック３２、バスバーアセンブリユニット３３及び電装品サブユニット３４が積層された構成を有する。また、蓄電モジュール本体３０は、容器本体１０の底壁１０ａに形成された貫通孔（死角のため図示されない）に挿入されるボルト１１により、底壁１０ａに固定される。つまり、ボルト１１は、容器本体１０の底壁１０ａに対する蓄電モジュール本体３０の移動を規制する第一規制部として機能する。なお、セルスタック３２、バスバーアセンブリユニット３３及び電装品サブユニット３４の構成については、後に詳述する。
【００３４】
容器本体１０は、接着、超音波溶着又は熱溶着等の手段によって蓋部２０と接合されることにより、気密性を保つよう閉塞される。容器本体１０と蓋部２０との接合の他の手段としては、パッキンを間に介在させてネジ又はボルト等により締結するようにしてもよい。更に、蓄電モジュール本体３０の両側面からは、複数の単電池を配列してなるセルスタック３２からのガスが排出される。ハウジング１ａ全体が気密性を有することにより、排出されたガスは、ハウジング１ａの内部に滞留した後に、蓋部２０の排気筒２２から蓄電装置１の外部へ排気される。
【００３５】
更に、蓄電モジュール本体３０の両側面には、セルスタック３２の、後述するエンドプレート３２ａに固定されたサポート部材３５が設けられている。つまり、サポート部材３５は、セルスタック３２の両端に対応する位置に配置されている。ここで、サポート部材３５は、一例として、短冊状のスチール又はステンレスの金属製の母材を、概略Ｌ字状に屈曲加工することにより作成され、蓄電モジュール本体３０と蓋部２０とを接続する部材である。本実施の形態では、サポート部材３５は、蓋部２０に蓄電モジュール本体３０を固定する。つまり、サポート部材３５は、蓋部２０に対する蓄電モジュール本体３０の移動を規制する第二規制部として機能する。
【００３６】
なお、後述のように、蓄電装置１は、蓄電モジュール本体３０内の単電池の電極端子と外部接続端子２１ａ、２１ｂとを接続するバスバーによって、蓄電モジュール本体３０と蓋部２０とを接続しているが、サポート部材３５は、当該バスバーとは異なる部材である。つまり、蓄電装置１において、蓋部２０に蓄電モジュール本体３０を固定する機能は、当該バスバーではなく、サポート部材３５が担っている。
【００３７】
具体的には、図２に示すように、サポート部材３５は、蓄電モジュール本体３０の側面に対して平行な側板部３５ａ、図中死角となる蓋部２０の裏面に対して平行な天板部３５ｂ、及び側板部３５ａと天板部３５ｂとを繋ぐ接続部３５ｃに区分される。なお、天板部３５ｂは、蓄電モジュール本体３０の上面に重なって位置している。
【００３８】
また、側板部３５ａには取付孔３５ａ１が形成されており、取付孔３５ａ１を介してボルト３６がセルスタック３２に締結される。更に、側板部３５ａには、セルスタック３２からのガスを排出させるスリット３５ａ２が開口して形成されている。また、天板部３５ｂには、蓋部２０の主面上に開口して形成された取付孔２０ａと同軸となる取付孔３５ｂ１が形成されており、取付孔２０ａ及び３５ｂ１を介してボルト３７が天板部３５ｂに締結される。
【００３９】
なお、蓄電モジュール本体３０のセルスタック３２における単電池の配列方向は、図１等に示すＸ軸、Ｙ軸及びＺ軸の直交座標系においてＸ軸と平行な直線上にあり、蓄電装置１を構成するハウジング１ａ、蓄電モジュール本体３０等の各面は、おおよそＸ軸、Ｙ軸及びＺ軸とそれぞれ平行に位置するものとして定める。更に、以下の説明に際しては、図中矢印の方向を基準に、Ｘ軸方向を右から左、Ｙ軸方向を奥から手前、及びＺ軸方向を下から上と定める。また、Ｚ軸方向は鉛直方向に一致し、したがって、蓄電モジュール本体３０はＺ軸方向に直交するＸ−Ｙ平面を載置面として、ハウジング１ａ内に載置される。
【００４０】
（２．蓄電モジュール本体）
図３は、本発明の実施の形態１に係る蓄電モジュール本体３０の一部を分解した状態で蓄電モジュール本体３０の構成を示す分解斜視図である。蓄電モジュール本体３０は、図３に示すように、非水電解質二次電池等の単電池を配列、締結してなるセルスタック３２、セルスタック３２の各単電池を電気的に接続するためのバスバーアセンブリユニット３３、及びバスバーアセンブリユニット３３と電気的に接続された電装品サブユニット３４を備える。
【００４１】
（２−１．セルスタック）
セルスタック３２は、複数の単電池３２０ａが配列されたセルスタック本体３２０と、単電池３２０ａ間を絶縁する絶縁性のスペーサ３２０ｂと、セルスタック本体３２０及びスペーサ３２０ｂを拘束する一対のエンドプレート３２ａ及び３つ一組のスタックバー３２ｂとを備える。セルスタック本体３２０は、複数の単電池３２０ａが、負極の電極端子３２０ａ１、正極の電極端子３２０ａ２、及び安全弁３２０ａ３が上面となるよう配列されている。スペーサ３２０ｂは、セルスタック本体３２０の表面を覆うように、単電池３２０ａ間に配置されている。一対のエンドプレート３２ａ及び３つ一組のスタックバー３２ｂは、セルスタック本体３２０及びスペーサ３２０ｂの表面に設けられ、セルスタック本体３２０及びスペーサ３２０ｂを一定形状に保持するための拘束部材である。
【００４２】
複数の単電池３２０ａは、例えばアルミニウムなどの金属製の開口箱状の外装本体部と、外装本体部と同一の材料からなる蓋板とを備え、蓋板の表面及びその対向面である外装本体部の底面を上下底面とした外形が扁平な角柱の形状を有する蓄電素子である。外装本体部の内方には、電極体及び電解液等が封入されている。蓋板は、レーザ溶接等により外装本体部に接合されて外装本体部の開口を閉塞しており、また、蓋板には、電極端子３２０ａ１、３２０ａ２、及び安全弁３２０ａ３が設けられている。なお、単電池３２０ａは、外装本体部の表面がそのまま露出する構成でもよいし、当該表面が絶縁性のフィルムによって被覆される構成であってもよい。
【００４３】
単電池３２０ａにおいて、各側面のうち面積の最も大きい面（長側面）同士が、間にスペーサ３２０ｂを介して対向して配列されることにより、セルスタック本体３２０が構成される。配列されたスペーサ３２０ｂの上面には、単電池３２０ａの電極端子３２０ａ１及び３２０ａ２、並びに安全弁３２０ａ３を外部へ露出させるための開口がそれぞれ設けられている。なお、図中には、安全弁３２０ａ３を露出させる開口３２０ｘのみを符号を付して示した。
【００４４】
更に、エンドプレート３２ａは、配列された複数の単電池３２０ａを配列の両端から挟持する。つまり、エンドプレート３２ａは、セルスタック本体３２０の両端の単電池３２０ａのそれぞれの側面を挟持する。スタックバー３２ｂは、セルスタック本体３２０の両側面及び底面にそれぞれ隣接して配置され、スタックバー３２ｂの両端が一対のエンドプレート３２ａの表面にそれぞれボルトにより締結されることにより固定される。これにより、セルスタック本体３２０及びスペーサ３２０ｂは一体化して、セルスタック３２の形状を保持する。
【００４５】
なお、エンドプレート３２ａの下部には、上下方向に貫通する取付孔３２ａ１が設けられている。取付孔３２ａ１には、ハウジング１ａの外側から挿入されるボルト１１が装着され、蓄電モジュール本体３０とハウジング１ａの容器本体１０の底壁１０ａとの固定に用いられる。
【００４６】
更に、エンドプレート３２ａには、サポート部材３５の側板部３５ａの取付孔３５ａ１と同軸となる位置に形成された取付孔３２ａ２が設けられている。
【００４７】
（２−２．バスバーアセンブリユニット）
バスバーアセンブリユニット３３は、絶縁性及び電解液による腐食への耐性を有する合成樹脂等の部材であり、例えばポリプロピレンによって形成されている。また、バスバーアセンブリユニット３３は、セルスタック３２の上面の外形に対応した枠体３３０ａを有しており、枠体３３０ａには、セルスタック３２上に露出する電極端子３２０ａ１及び３２０ａ２並びに安全弁３２０ａ３の位置に対応して開口が形成されている。なお、枠体３３０ａの材料としては、ポリブチレンテレフタレート（ＰＢＴ）樹脂等の、絶縁性及び耐熱性を有する合成樹脂を用いるようにしてもよい。
【００４８】
ここで、電極端子３２０ａ１及び３２０ａ２に対応する開口は、各単電池３２０ａの電気的接続に対応して当該電極端子間の結線パターンを制御するように、隣接する電極端子間を跨って形成されるよう寸法が定められている。各開口には、電極端子３２０ａ１及び３２０ａ２とレーザ溶接等により接続される金属製のバスバー３３２ａ、３３２ｂ及び３３２ｃが嵌め込まれる。なお、バスバー３３２ａ及び３３２ｂは、セルスタック３２内の電極端子同士の接続並びに蓄電装置１の外部接続端子２１ａ及び２１ｂへの接続に用いられ、バスバー３３２ｃは、セルスタック３２内の電極端子同士の接続に用いられる。
【００４９】
このように、蓄電装置１は、単電池３２０ａの電極端子３２０ａ１、３２０ａ２と外部接続端子２１ａ、２１ｂとを接続するバスバー３３２ａ、３３２ｂ等のバスバーによって、蓄電モジュール本体３０と蓋部２０とを接続している。ここで、サポート部材３５が、蓋部２０に蓄電モジュール本体３０を固定する機能を担っているため、当該バスバーは、蓄電装置１内を電気的に接続する機能を有していればよく、蓋部２０に蓄電モジュール本体３０を固定するための強度は必要とされない。
【００５０】
一方、安全弁３２０ａ３に対応する開口３３０ｃは、セルスタック本体３２０を構成する単電池３２０ａの個数に対応して個別に設けられる。
【００５１】
また、枠体３３０ａにおける開口３３０ｃの位置には、枠体３３０ａの表面から見て二段の段差を有し、かつ両端が枠体３３０ａの両端まで達する溝部３３０ｘが形成されている。溝部３３０ｘは、安全弁３２０ａ３の配列方向に沿って延伸し、開口３３０ｃが設けられている下段面３３０ｂと、下段面３３０ｂの縁に設けられた中段面３３０ｄとから構成される。
【００５２】
更に、枠体３３０ａの周縁には、セルスタック３２の上面の周縁に位置する嵌合穴３２ｘであって、スペーサ３２０ｂの表面形状から構成された嵌合穴３２ｘに対応した係合爪３３ａが形成されている。更に、枠体３３０ａの周縁には、後述する電装品サブユニット３４との結合のための係合溝３３０ｆ及び係合溝３３０ｇが形成されている。
【００５３】
また、溝部３３０ｘの上部には、遮熱体３３１が設けられている。遮熱体３３１は、セルスタック３２からの放熱を遮してバスバーアセンブリユニット３３の上方に位置する部材への熱的影響を低減するとともに、蓄電モジュール本体３０を補強する部材である。なお、バスバーアセンブリユニット３３の上方に位置する部材とは、例えば、電装品サブユニット３４、蓋部２０、及び後述する蓋部２０に内蔵される電装品などの蓄電装置１を構成する各部材である。遮熱体３３１は、バスバーアセンブリユニット３３の溝部３３０ｘの外形に対応した矩形状の金属製の遮熱本体板３３１ａから構成され、溝部３３０ｘの中段面３３０ｄに嵌り込む。
【００５４】
また、遮熱体３３１は、遮熱本体板３３１ａに形成された貫通孔３３１ｂを介して、バスバーアセンブリユニット３３の枠体３３０ａに設けられた取付孔３３０ｅに取付ネジ３３１ｃによりネジ止めされることにより、バスバーアセンブリユニット３３に固定される。これにより、遮熱体３３１と溝部３３０ｘとで囲まれた空間は、両端が図２に示すサポート部材３５のスリット３５ａ２と連通して、ガス流路を形成する。ガス流路は、セルスタック３２の各単電池３２０ａの安全弁３２０ａ３からの排気ガスを、スリット３５ａ２を介してハウジング１ａ内部へ排出させる。
【００５５】
（２−３．電装品サブユニット）
電装品サブユニット３４は、バスバーアセンブリユニット３３の枠体３３０ａと同様の合成樹脂製のベース上に、電装品が配置されてなるユニットである。ここで、電装品サブユニット３４に配置される電装品は、バスバー３３２ａ及び３３２ｂを経由した電気配線、リレー等の開閉器、抵抗、その他バスバー３３２ａ、３３２ｂ及び３３２ｃに接続されるハーネス等である。また、電装品サブユニット３４とバスバーアセンブリユニット３３との電気的接続は、バスバー３３２ａ及び３３２ｂにそれぞれ設けられた取付端子部３３２ａ１及び３３２ｂ１に対して、電装品サブユニット３４の上面からボルトを装着することにより行われる。なお、電装品サブユニット３４の更に上層に位置する蓋部２０内には、ＢＭＵ（Battery Management Unit）その他、蓄電装置１の充放電の制御、温度等の状態管理、及び蓄電装置１が接続される機器との通信を行うための電子部品が電装品として設けられている。
【００５６】
蓄電モジュール本体３０において、セルスタック３２とバスバーアセンブリユニット３３とは、セルスタック３２の嵌合穴３２ｘに、バスバーアセンブリユニット３３の係合爪３３ａが係合することにより固定される。更に、バスバーアセンブリユニット３３と電装品サブユニット３４とは、バスバーアセンブリユニット３３の係合溝３３０ｆ及び３３０ｇに、電装品サブユニット３４の周縁に形成された係合爪３４ａ及び３４ｂがそれぞれ係合することにより固定される。これにより、セルスタック３２、バスバーアセンブリユニット３３及び電装品サブユニット３４は、一体的に組み合わされる。
【００５７】
以上のような構成を有する蓄電装置１において、ハウジング１ａは、特許請求の範囲に記載の「ハウジング」に包含され、蓄電モジュール本体３０は、特許請求の範囲に記載の「蓄電モジュール」に包含される。また、ボルト１１は、特許請求の範囲に記載の「第一規制部」に包含され、サポート部材３５は、特許請求の範囲に記載の「第二規制部」に包含される。
【００５８】
このような構成を有する本実施の形態１の蓄電装置１は、蓄電モジュール本体３０とハウジング１ａの容器本体１０の底壁１０ａとを接続（固定）するボルト１１と、蓄電モジュール本体３０とハウジング１ａの蓋部２０とを接続（固定）するサポート部材３５とを備えたことを特徴とする。
【００５９】
図４は、本発明の実施の形態１に係る蓄電装置１の要部を示す模式的断面図であり、具体的には、蓄電装置１において、ハウジング１ａの蓋部２０及び容器本体１０を断面図として示した正面図である。
【００６０】
図４に示すように、蓄電モジュール本体３０は、ハウジング１ａ内にて、容器本体１０の底壁１０ａに、ボルト１１により固定されている。具体的には、容器本体１０の内底面１０ｚ（底壁１０ａの上面）上には台座１０ｚ１が配置されており、蓄電モジュール本体３０は、台座１０ｚ１上に載置されて、台座１０ｚ１に固定されている。また、蓄電モジュール本体３０は、ハウジング１ａ内にて、サポート部材３５を介することにより、蓋部２０に固定されている。これにより、蓄電モジュール本体３０は、ハウジング１ａ内にて、図中Ｚ軸方向に一致する鉛直方向の上下端にて、ハウジング１ａに固定されている。
【００６１】
本実施の形態１は、これにより外部より加わる衝撃や振動に対する耐性を高め、信頼性を向上させている。すなわち、従来の組電池（セルスタック）においては、ハウジングに収容される蓄電モジュール本体（蓄電モジュール）は、主に載置面側にのみ固定されることにより安定性を確保するようにしていた。しかし、この従来の構成では、外部からの振動や衝撃が加えられた場合、蓄電モジュール本体は、ハウジングに対して載置面を支点として揺動する。蓄電モジュール本体の重心は、モジュールの大型化に対応して上方に移動するため、揺動による蓄電モジュール本体への応力、あるいは揺動に起因する蓄電モジュール本体とハウジングとの接触は、モジュールの機械的強度の低下、ひいては絶縁箇所の破損等の不具合を招く恐れがあった。
【００６２】
また、蓄電モジュール内の単電池の電極端子と、ハウジングの蓋部に配置された外部接続端子とを金属製のバスバーで繋ぐことで、蓋部で蓄電モジュールを支持する構成もあった。しかし、蓄電装置に外部からの振動や衝撃が加えられた場合、当該バスバーが損傷して、単電池の電極端子と外部接続端子との電気的な接続が外れ、蓄電装置の信頼性に大きな影響を及ぼす可能性がある。特に、近年、バスバーと単電池の電極端子との接続がボルト締めから溶接に変わりつつあり、バスバーの材質として比較的強度が低いアルミニウムが採用されるようになってきた。このため、バスバーが損傷したり、溶接箇所が外れたりする恐れがあり、これに対する対策が必要となってきた。
【００６３】
本実施の形態１の蓄電装置１は、このような考察に基づきなされたものであって、蓄電モジュール本体３０が鉛直方向の上下端にて固定されていることにより、ハウジング１ａと一体化している。つまり、蓄電モジュール本体３０は、単電池３２０ａの電極端子３２０ａ１、３２０ａ２と外部接続端子２１ａ、２１ｂとを接続するバスバーとは異なる部材であるサポート部材３５によって、蓋部２０に固定されている。これにより、揺動が抑制されるため、蓄電モジュール本体３０への応力が低減される。また、蓄電モジュール本体３０とハウジング１ａとの相対的な位置が保たれることとなり、蓄電モジュール本体３０とハウジング１ａとの接触の恐れが低減され、ひいては蓄電装置１の信頼性を向上させることが可能となる。
【００６４】
また、一般的に、ハウジング１ａにおいて、容器本体１０の側壁１０ｂは、背が高く、かつ他の部分よりも薄く形成されていることが多いため、比較的剛性が低く、蓋部２０と容器本体１０の底壁１０ａとが比較的剛性が高く構成されている。このため、ハウジング１ａの中でも比較的強度が高い蓋部２０と底壁１０ａとに蓄電モジュール本体３０を固定することで、蓄電モジュール本体３０をハウジング１ａに対して強固に固定することができる。また、蓄電モジュール本体３０を側壁１０ｂに固定するよりも蓋部２０に固定する方が取り付けやすく、蓄電装置１の製造時の作業性を向上させることができる。
【００６５】
更に、本実施の形態１の蓄電装置１においては、一対のサポート部材３５がセルスタック３２の両端にそれぞれ固定されていることを特徴とする。これにより、蓄電モジュール本体３０は、上方の複数箇所にて固定されることとなり、載置面の鉛直方向に対する並進方向に加えて回転方向の揺動が抑制される。したがって、蓄電モジュール本体３０にねじれが生ずる恐れが低減され、ひいては蓄電装置１の信頼性を向上させることが可能となる。更に、サポート部材３５の固定にセルスタック３２の両端の一対のエンドプレート３２ａを用いたことにより、サポート部材３５を強固に蓄電モジュール本体３０に固定することが可能となる。更に、金属製であるサポート部材３５は、エンドプレート３２ａを介してセルスタック３２からの熱を効率よく伝達して速やかに外部へ放出させることが可能となる。
【００６６】
更に、本実施の形態１の蓄電装置１においては、サポート部材３５が概略Ｌ字型の形状を有している。具体的には、図４に示すように、蓄電モジュール本体３０に直接固定される側板部３５ａと蓋部２０に直接固定される天板部３５ｂとの間に位置する接続部３５ｃが、屈曲して、蓄電モジュール本体３０の側面から容器本体１０の内側面１０ｙに向かってはみ出した構成を有する。つまり、サポート部材３５は、蓄電モジュール本体３０との接続部分と、蓋部２０との接続部分との間に、屈曲部である接続部３５ｃを有している。なお、同図では、内側面１０ｙは、右側（Ｘ軸方向マイナス側）の側壁１０ｂの内面であり、上記では右側のサポート部材３５について説明しているが、左側（Ｘ軸方向プラス側）のサポート部材３５についても、上記と同様の構成を有している。
【００６７】
これにより、サポート部材３５において接続部３５ｃが緩衝装置として機能し、蓄電装置１に大きな衝撃が加わった際に当該衝撃を吸収して、蓄電モジュール本体３０への影響を低減することができる。ここで、接続部３５ｃは、特許請求の範囲に記載の「屈曲部」に包含される。なお、接続部３５ｃは、容器本体１０の内側面１０ｙから遠ざかる向きに屈曲した構成を有するものとしてもよく、上記の構成例同様に緩衝装置としての効果を奏する。更に、接続部３５ｃは、湾曲した態様であるとしてもよい。
【００６８】
更に、本実施の形態１においては、サポート部材３５の天板部３５ｂが、上面視で、蓄電モジュール本体３０の上面である電装品サブユニット３４に重なって位置することを特徴とする。つまり、サポート部材３５は、蓋部２０から底壁１０ａの方向に見て、蓄電モジュール本体３０が位置する領域内で、蓋部２０と接続されている。これにより、天板部３５ｂの蓋部２０との接続部分は、蓋部２０の内壁に蓄電モジュール本体３０の主面を投影してなる投影面Ｐより内側に位置することとなる。
【００６９】
この結果、天板部３５ｂの固定位置を、面積が大きい蓋部２０の主面上の任意の箇所に定めることができ、当該固定位置のレイアウトを拡張することができる。すなわち、蓄電モジュール本体３０又はハウジング１ａの各種形状に柔軟に対応して、本発明の上記効果を奏しつつ、生産性を向上させることが可能となる。
【００７０】
ここで、蓄電モジュール本体３０の主面とは、蓄電モジュール本体３０の各辺や頂点からはみ出す細部の形状を捨象して、概形を参照して把握される面を意味する。具体的には、図３に示すバスバーアセンブリユニット３３の取付端子部３３２ａ１及び３３２ｂ１の周縁は、バスバーアセンブリユニット３３の、概略矩形をなす他の辺からはみ出すように形成されているが、当該周縁の形状は、図４に示すように、天板部３５ｂとの位置関係においては無視して取り扱われる。これは以下の各実施の形態においても同様である。
【００７１】
なお、上記の説明においては、サポート部材３５は、蓄電モジュール本体３０の側面からはみ出した屈曲部としての接続部３５ｃを有する概略Ｌ字型の形状として説明を行ったが、これには限定されない。つまり、サポート部材３５は、蓄電モジュール本体３０を、載置面から当該蓄電モジュール本体３０を間に挟んだ上方の複数の箇所にて固定することができれば、その具体的な形状によって限定されるものではない。以下に、サポート部材３５の他の構成について説明する。
【００７２】
（実施の形態１の変形例１）
図５は、本発明の実施の形態１の変形例１に係る蓄電装置２の構成を示す模式的断面図である。具体的には、図５は、上記の実施の形態１における図４に対応する図である。
【００７３】
図５に示すように、蓄電装置２は、接続部が側板部と一体化したＬ字状のサポート部材３８を備える。サポート部材３８において、本体部である側板部３８ａは、セルスタック３２と複数の箇所でボルト３６により締結固定される。更に、天板部３８ｂは、側板部３８ａから略直角に屈曲して、蓄電モジュール本体３０から容器本体１０の内側面１０ｙに向かって延出した態様を有する。
【００７４】
この構成により、蓋部２０の主面上に開口して形成された取付孔２０ａを介したボルト３７による締結箇所が、蓄電モジュール本体３０の側面からはみ出している。すなわち、サポート部材３８は、蓋部２０から底壁１０ａの方向に見て、蓄電モジュール本体３０が位置する領域外で、蓋部２０と接続されている。言い換えれば、天板部３８ｂが、蓄電モジュール本体３０を介して載置面に相対する内壁としての蓋部２０の内壁に、蓄電モジュール本体３０の主面を投影してなる投影面Ｐよりも外側に位置している。
【００７５】
これにより、一対ある、蓋部２０とサポート部材３８との固定箇所は、互いの距離が図４に示す蓄電装置１よりも大きくなり、載置面の鉛直方向に対して回転する向きに生ずる揺動を、更に効果的に抑制することが可能となる。したがって、蓄電モジュール本体３０にねじれや湾曲が生ずる恐れを更に低減することが可能となる。更に、サポート部材３８は形状がより単純であるため製造が容易になり、低コストで蓄電装置２を製造することが可能となる。
【００７６】
（実施の形態１の変形例２）
図６は、本発明の実施の形態１の変形例２に係る蓄電装置３の構成を示す分解斜視図である。具体的には、図６は、上記の実施の形態１における図２に対応する図である。
【００７７】
図６に示すように、蓄電装置３は、平板状のサポート部材４０を備える。サポート部材４０において、本体部である側板部４１は、下部にセルスタック３２と締結するための取付孔４１ａが形成され、上部に蓋部２０と締結するための取付孔４１ｂが形成され、中央にセルスタック３２からのガスを排出させるスリット４１ｃが形成されている。蓋部２０とサポート部材４０とは、蓋部２０の側面に開口された取付孔２０ｂを介したボルト４２による締結にて固定される。なお、図１〜図４と同一又は相当する構成については、同一符号を付し詳細な説明は省略する。これは以下の説明においても同様である。
【００７８】
この構成によれば、蓄電装置３は、サポート部材４０が平板状の側板部４１を有するため、サポート部材４０の製造が容易になり、低コストで蓄電装置３を製造することが可能となる。更に、サポート部材４０をより小型化、薄型化できるため、サポート部材４０の収容位置であるハウジング１ａの内側面１０ｙと蓄電モジュール本体３０の表面との距離を小さく抑えることができる。これにより、上記実施の形態１と同様の効果を奏しつつ、蓄電装置の小型化又は、同一寸法のハウジングにおいて蓄電モジュールの大容量化を実現することが可能となる。
【００７９】
（実施の形態２）
図７は、本発明の実施の形態２に係る蓄電装置４の構成を、一部を分解図として模式的に示す斜視図である。また、図８は、本発明の実施の形態２に係る蓄電モジュール本体３０の構成を示す分解斜視図である。
【００８０】
本実施の形態２の蓄電装置４は、図７に示すように、側板部５０ａ及び側板部５０ｂの組合せを一対有するサポート部材５０を備える。側板部５０ａは、蓄電モジュール本体３０と蓋部２０とを固定する矩形平板状の部位であり、側板部５０ｂは、サポート部材５０をセルスタック３２に固定するための矩形平板状の部位である。
【００８１】
また、側板部５０ａは、上記実施の形態１の変形例２におけるサポート部材４０の側板部４１と同様、上部に蓋部２０と締結するための取付孔５０ａ１が形成されており、取付孔２０ｂを介したボルト４２による締結にて、蓋部２０に固定される。側板部５０ｂも、上記実施の形態１におけるサポート部材３５の側板部３５ａと同様、エンドプレート３２ａと締結するための取付孔５０ｂ１が形成されており、取付孔５０ｂ１を介したボルト３６による締結にて、セルスタック３２に固定される。
【００８２】
更に、本実施の形態２は、サポート部材５０を、蓄電モジュール本体３０の構成部品の一部として構成したことを特徴とする。すなわち、図８に示すように、本実施の形態２においては、蓄電モジュール本体３０のバスバーアセンブリユニット３３において、枠体３３０ａの溝部３３０ｘの上部に位置する遮熱体３３３の両端に、一対のサポート部材５０がそれぞれ位置している。
【００８３】
遮熱体３３３は、両端が上方に屈曲することにより外形Ｕ字状を有する遮熱本体板３３３ａと、遮熱本体板３３３ａの下方両端の表面に接合され、セルスタック３２側へ延出する一対の補助板３３３ｂとから構成される。遮熱本体板３３３ａの屈曲部分がサポート部材５０の側板部５０ａに対応し、中央部分は、実施の形態１の遮熱本体板３３１ａと同一の形状及び寸法を有して溝部３３０ｘの中段面３３０ｄに嵌り込む。補助板３３３ｂは、サポート部材５０の側板部５０ｂに対応する。
【００８４】
遮熱体３３３は、遮熱本体板３３３ａの表面に開口して形成された貫通孔３３１ｂを介して、バスバーアセンブリユニット３３の枠体３３０ａに設けられた取付孔３３０ｅに取付ネジ３３１ｃによりネジ止めされることにより、枠体３３０ａに固定される。これにより、遮熱体３３３と溝部３３０ｘとで囲まれた空間は、２つの側板部５０ａの直下となる両端を、図７に示すスリット５０ｃを介した開放端として有するガス流路を形成する。当該ガス流路は、セルスタック３２の各単電池３２０ａの安全弁３２０ａ３からの排気ガスを、スリット５０ｃを介してハウジング１ａ内部へ排出させる。
【００８５】
このように、本実施の形態２の蓄電装置４によれば、上記実施の形態１と同様に、蓄電モジュール本体３０とハウジング１ａの底壁１０ａとをボルト１１によって固定するとともに、サポート部材５０によって蓄電モジュール本体３０とハウジング１ａの蓋部２０とを固定する。これにより、実施の形態１と同様、ハウジング１ａ内における蓄電モジュール本体３０へ加わる応力を低減するとともに、蓄電モジュール本体３０の揺動を抑制して、蓄電装置の信頼性を向上させることが可能となる。
【００８６】
更に、本実施の形態２においては、バスバーアセンブリユニット３３の機能部品である遮熱体３３３の一部としてサポート部材５０を設けたことにより、サポート部材を組み込むための付加的な工程及び部品点数を削減することができ、より低コストに蓄電装置４を製造することができる。また、サポート部材５０の収容位置であるハウジング１ａの内壁面と蓄電モジュール本体３０の表面との距離を更に小さく抑えることができる。これにより、上記実施の形態と同様の効果を奏しつつ、蓄電装置の小型化、又は、同一寸法のハウジングにおいて蓄電モジュールの大容量化を実現することが可能となる。更に、遮熱体３３３の遮熱本体板３３３ａからの熱を、サポート部材５０を介させることにより、効率的に外部へ放出させることが可能となる。
【００８７】
なお、サポート部材５０は、図９に示すように、側板部５０ａのみから構成されるものとしてもよい。図９は、本発明の実施の形態２に係る蓄電モジュール本体３０の他の構成例を示す分解斜視図である。
【００８８】
ここで、サポート部材５０と蓄電モジュール本体３０との結合は、遮熱本体板３３３ａが、バスバーアセンブリユニット３３の枠体３３０ａへ取付ネジ３３１ｃによりネジ止めされることにより行われる。この構成によれば、図８に示された構成と同様の効果を奏しつつ、サポート部材を組み込むための付加的な工程及び部品点数を更に削減して、低コストに蓄電装置を製造することができる。更に、蓄電装置の軽量化を実現することも可能となる。
【００８９】
（実施の形態３）
図１０は、本発明の実施の形態３に係る蓄電装置５の構成を、一部を分解図として模式的に示す斜視図である。
【００９０】
本実施の形態３の蓄電装置５は、図１０に示すように、蓄電モジュール本体３０と蓋部２０との間に位置し、蓄電モジュール本体３０の電装品サブユニット３４から上方に突出する柱状のサポート部３４ｙを備える。サポート部３４ｙは、電装品サブユニット３４の合成樹脂製のベース３４ｘとインジェクション成型等により一体的に成型された部位である。サポート部３４ｙは、先端部分が、蓋部２０の表面２０ｙに形成された開口２０ｃに嵌り込み、表面２０ｙから更に突出している。つまり、サポート部３４ｙは、蓄電モジュール本体３０から蓋部２０に向けて延設され、蓋部２０に形成された開口２０ｃに挿入される。なお、バスバーアセンブリユニット３３の側面には、セルスタック３２からのガスを排出する排気口３１が直接露出している。
【００９１】
このような本実施の形態３の蓄電装置５は、サポート部３４ｙの先端部分が蓋部２０の開口２０ｃに嵌り込んだ状態を保つことにより、蓄電モジュール本体３０の動きを規制することを特徴とする。
【００９２】
以下、図１１Ａ〜図１１Ｃを参照して説明を行う。図１１Ａ〜図１１Ｃは、本発明の実施の形態３に係る蓄電装置５におけるサポート部３４ｙの構成例を示す要部断面図である。つまり、これらの図は、蓄電装置５におけるサポート部３４ｙと蓋部２０との近傍の構成を示す図であり、具体的には、サポート部３４ｙの延伸方向でもあるＺ軸方向に平行な平面で蓋部２０を切断して側方から見た図である。
【００９３】
図１１Ａに示す例では、サポート部３４ｙの先端部分を加熱し、開口２０ｃの直径より大きな終端部３４ｙ１に整形する。加熱整形により得られた終端部３４ｙ１の周縁３４ｙ２は蓋部２０の表面２０ｙに固着し、蓋部２０と蓄電モジュール本体３０とを固定する。
【００９４】
これにより、蓄電モジュール本体３０は、ボルト１１により容器本体１０の底壁１０ａに固定され、サポート部３４ｙにより蓋部２０に固定される。したがって、実施の形態１、２と同様、ハウジング１ａ内における蓄電モジュール本体３０へ加わる応力を低減するとともに、蓄電モジュール本体３０の揺動が抑制される。
【００９５】
次に、図１１Ｂに示す例では、サポート部３４ｙの先端部分を含む終端部３４ｙ３が、中央にて隙間Ｃをもって二分されたテーパ状の形状を有する。これにより、サポート部３４ｙが開口２０ｃへ挿入される際に、終端部３４ｙ３の外形が開口２０ｃの内径に対応して径が縮小するよう変形し、表面２０ｙ上に終端部３４ｙ３が突出した状態で形状を復元する。これにより、縁端３４ｙ５が蓋部２０の表面２０ｙに係止し、サポート部３４ｙの表面が開口２０ｃの内壁に押圧されることにより、蓋部２０と蓄電モジュール本体３０とが固定される。
【００９６】
これにより、図１１Ａの例と同様、ハウジング１ａ内における蓄電モジュール本体３０へ加わる応力を低減するとともに、蓄電モジュール本体３０の揺動が抑制される。
【００９７】
更に、図１１Ｃに示す例では、サポート部３４ｙの先端部分は、根元から同一径の柱状を保った終端部３４ｙ６を有する。これにより、終端部３４ｙ６が開口２０ｃに挿入され、蓋部２０の表面２０ｙに露出して、開口２０ｃに固定されない状態を保持する。この場合、蓄電装置５が外部より振動や衝撃を受けた際、蓄電モジュール本体３０は揺動しようとするが、終端部３４ｙ６が蓋部２０の開口２０ｃの内壁と干渉するため、蓄電モジュール本体３０の動きは、図中Ｚ軸方向に直交する平面上、すなわち載置面に対するモジュールの並進方向及び回転方向において規制される。したがって、上記各実施の形態と同様、ハウジング１ａ内における蓄電モジュール本体３０へ加わる応力が低減されるとともに、蓄電モジュール本体３０の揺動が抑制されることとなる。
【００９８】
なお、サポート部３４ｙは、上記の構成に限定されない。例えば、サポート部３４ｙは、ネジによって蓋部２０にネジ止めされたり、サポート部３４ｙが先端部分にボルト部を有しており、ナットによって蓋部２０に固定されたり、サポート部３４ｙの先端部分がかしめられることによって蓋部２０に固定されたり、接着剤等によって蓋部２０に接着されたりすることにしてもよい。また、サポート部３４ｙは、円柱形状ではなく、角柱形状、円錐形状又は角錐形状などであってもよいし、中実の部位であってもよいし、中空の部位であってもかまわない。
【００９９】
このように、本実施の形態３の蓄電装置５によれば、蓄電モジュール本体３０と一体化して形成されたサポート部３４ｙを備える。つまり、蓄電装置５は、上記実施の形態１、２と同様に、蓄電モジュール本体３０と底壁１０ａとをボルト１１によって固定するとともに、蓄電モジュール本体３０と蓋部２０とをサポート部３４ｙによって固定する。これにより、蓋部２０に対する蓄電モジュール本体３０の動きを規制することで、ハウジング１ａ内における蓄電モジュール本体３０へ加わる応力を低減するとともに、蓄電モジュール本体３０の揺動を抑制して、蓄電装置の信頼性を向上させることが可能となる。
【０１００】
更に、本実施の形態３においては、サポート部３４ｙとハウジング１ａの蓋部２０との間を固定するための部品を省略することができ、より低コストに蓄電装置５を製造することができる。
【０１０１】
また、サポート部３４ｙは、電装品サブユニット３４のベース３４ｘ上に形成されることにより、蓄電モジュール本体３０の上面内に位置することとなる。つまり、サポート部３４ｙは、蓋部２０から底壁１０ａの方向に見て、蓄電モジュール本体３０が位置する領域内で、蓄電モジュール本体３０と接続されている。言い換えれば、サポート部３４ｙは、図４に示した実施の形態１におけるサポート部材３５の天板部３５ｂと同様に、蓋部２０の内壁への蓄電モジュール本体３０の主面の投影面Ｐより内側に配置される。これにより、サポート部３４ｙの付加により蓄電モジュール本体３０が大型化することを防ぎ、上記実施の形態１と同様の効果を奏しつつ、蓄電装置の小型化又は、同一寸法のハウジングにおいて蓄電モジュールの大容量化を実現することが可能となる。
【０１０２】
以上、各実施の形態にて説明したように、本発明に係る蓄電装置によれば、ハウジング１ａ内において、固定等の手段により蓋部２０に対する蓄電モジュール本体３０の動きを規制するサポート部材等を備えたことにより、衝撃や振動の影響を低減して、蓄電装置の信頼性を向上させることが可能となる。
【０１０３】
しかしながら、本発明は、上記の各実施の形態により限定されるものではない。
【０１０４】
上記の各実施の形態においては、蓄電モジュール本体３０は、ハウジング１ａ内において載置面に平行な向きに単電池３２０ａが配列されてなるセルスタック３２を有するものとしたが、蓄電モジュール本体３０の構成は上記に限定されるものではない。
【０１０５】
一例として、図１２に示す蓄電装置６は、複数の単電池３２０ａが底壁１０ａから蓋部２０に向けて配列する向きに配置されたセルスタック３２を有している。図１２は、本発明の実施の形態に係る蓄電装置の他の構成例を示す分解斜視図である。
【０１０６】
つまり、図１２に示すように、蓄電装置６は、ハウジング１ａの容器本体１０に収容される蓄電モジュール本体３０において、セルスタック３２を、単電池３２０ａが載置面に相当する内底面１０ｚから上方に向かって積層されるように配列される構成とした。また、セルスタック３２は、底壁１０ａの内底面１０ｚの図中死角となる位置に、ボルト等により固定されている。更に、セルスタック３２は、上方に位置するエンドプレート３２ａ上に設けられた、ネジ孔６０ｘを有するサポート部材６０に、蓋部２０の開口２０ｄを介して挿入されるボルト６１が締結されることで、蓋部２０に固定される。
【０１０７】
また、上記各実施の形態と同様に、蓄電モジュール本体３０は、ボルト１１等（図示せず）によって底壁１０ａに固定されている。
【０１０８】
これにより、上記各実施の形態と同様、蓄電装置６において、ハウジング１ａ内における蓄電モジュール本体３０の揺動を抑制することができる。特に、セルスタック３２は、複数の単電池３２０ａが底壁１０ａから蓋部２０に向けて配列する向きに配置されているため、複数の単電池３２０ａを配列方向にサポート部材６０とボルト１１とで挟み込んで、蓄電モジュール本体３０の移動を規制することができる。これにより、ハウジング１ａ内で蓄電モジュール本体３０が振動又は揺動するのを安定して抑制することができる。なお、蓄電装置６においては、１つのサポート部材６０が設けられていることとしたが、各実施の形態同様に、複数のサポート部材６０が設けられていてもよい。
【０１０９】
また、上記の説明においては、サポート部材３５等は、蓄電モジュール本体３０とは独立した部品であることとした。また、サポート部３４ｙは、蓄電モジュール本体３０の部品の一部であって、溶着により固着される、若しくは嵌合により特定方向に移動自在なものであることとした。しかしながら、サポート部材３５等及びサポート部３４ｙは、ハウジング１ａの蓋部２０に対する蓄電モジュール本体３０の移動を規制することができればよく、規制のための具体的な手段により限定されるものではない。例えば、サポート部材３５等と蓋部２０とを溶接、溶着、接着等の手段により固定するものであってもよいし、上下方向に移動自在に嵌合又は係合させる構成としてもよい。同様に、サポート部３４ｙは、蓋部２０の開口に嵌合させるのではなく、蓋部２０に形成された突起部等に係合させる構成としてもよい。
【０１１０】
また、上記の説明においては、ボルト１１は、蓄電モジュール本体３０とは独立した部品であることとしたが、蓄電モジュール本体３０の部品の一部であってもよい。また、蓄電モジュール本体３０の底壁１０ａへの固定手段（第一規制部）は、ボルト１１によるものには限定されず、溶接、溶着、接着等による固着や、嵌合又は係合により特定方向に移動自在な構成とすることにしてもよい。つまり、サポート部材３５等やサポート部３４ｙと同様に、第一規制部は、ハウジング１ａの底壁１０ａに対する蓄電モジュール本体３０の移動を規制することができればよく、規制のための具体的な手段により限定されるものではない。
【０１１１】
また、上記の説明においては、サポート部材３５等及びサポート部３４ｙは、蓋部２０に沿った全ての方向への蓄電モジュール本体３０の移動を規制することとしたが、蓋部２０に沿った方向のうちの少なくとも１つの方向を規制することができればよい。ただし、衝撃や振動の影響を低減する等の観点から、サポート部材３５等及びサポート部３４ｙのように、蓋部２０に沿った全ての方向への蓄電モジュール本体３０の移動を規制するのが好ましい。第一規制部による底壁１０ａに対する蓄電モジュール本体３０の移動の規制についても、同様である。
【０１１２】
更に、上記の説明においては、サポート部材３５等は、エンドプレート３２ａにボルトにより締結されることで固定されるものとしたが、一端が蓄電モジュール本体３０に固定されていればよく、固定の具体的な態様によって限定されるものではない。したがって、サポート部材３５等とエンドプレート３２ａとは、締結の他、溶接、圧着等の手段により固定されていてもよいし、エンドプレート３２ａとサポート部材３５等が同一の基材から一体形成されることにより作製されるものであってもよい。また、ボルト１１についても、エンドプレート３２ａ以外のものに固定されてもかまわない。
【０１１３】
また、上記の説明においては、サポート部材５０又はサポート部３４ｙは、蓄電モジュール本体３０の機能部品である、バスバーアセンブリユニット３３の遮熱体３３３又は電装品サブユニット３４のベース３４ｘ等の一部であることとした。しかし、サポート部材５０又はサポート部３４ｙは、ハウジング１ａに対する蓄電モジュール本体３０の動きを上方の箇所にて規制することができればよく、蓄電モジュール本体３０を構成する任意の部品の一部であればよい。
【０１１４】
ただし、上記の説明のように、サポート部材５０又はサポート部３４ｙのような規制手段を単電池３２０ａ又はセルスタック３２から絶縁された部品の一部として実施することは、規制の効果を更に向上させるとともに、当該規制手段に応力が加わった場合等における電気配線への影響を避けることができ、より好適である。
【０１１５】
また、上記の説明においては、本発明のハウジング１ａは、合成樹脂製の、外形が六面体の容器であって、溶着等により密閉された容器本体１０及び蓋部２０から構成されるものであって、蓄電モジュール本体３０は蓋部２０及び底壁１０ａに対する動きが規制されるものとした。具体的には、サポート部材３５やボルト１１等は、ハウジング１ａに対する蓄電モジュール本体３０の動きを上方及び下方の２箇所にて規制することができればよく、蓄電モジュール本体３０の規制位置は、ハウジング１ａの具体的な構成に限定されない。例えば、容器本体１０は、側壁１０ｂに開口部が形成されていたり、側壁１０ｂの代わりに蓋部２０と接続される柱状部材を有している構成であったりしてもかまわない。また、ハウジング１ａは、平板状の底壁に開口箱状の蓋部が臥せられる態様を有するものとすることもでき、この場合は、蓄電モジュール本体３０は、蓋部の天井部分にサポート部材によって固定されることとなる。
【０１１６】
また、ハウジング１ａは、その具体的な構成により限定されるものではなく、合成樹脂の他、金属その他の材料及びこれらの組合せとして実現してもよく、更に、３つ以上の部材の組合せとして実現してもよい。更に、ハウジング１ａの外形は、立方体、円筒形、または多角柱状の形状であってもよい。要するに、本発明のハウジング１ａは、その形状、具体的な材料または構成によって限定されるものではなく、蓄電モジュール本体３０の外方に配置される外装体であればよい。
【０１１７】
また、上記の説明においては、セルスタック３２を構成する単電池３２０ａとしての蓄電素子は、リチウムイオン二次電池に代表される非水電解質二次電池であることとしたが、電気化学反応により充放電可能な電池であれば、ニッケル水素電池その他各種の二次電池を用いてもよい。また、当該蓄電素子は、一次電池であってもよい。更に、当該蓄電素子は、電気二重層キャパシタその他各種のキャパシタであってもよい。要するに、当該蓄電素子は、電極体と電解液とを収納容器内に封入してなる電気を蓄積可能な素子であれば、起電力を発生させるための具体的な方式によって限定されるものではない。
【０１１８】
要するに、本発明は、その要旨を逸脱しない範囲内であれば、以上説明したものを含め、上記実施の形態に種々の変更を加えたものとして実施してもよい。
【産業上の利用可能性】
【０１１９】
以上のような本発明は、衝撃や振動の影響を低減して蓄電装置の信頼性を向上させることが可能になるという効果を有し、例えば二次電池のような蓄電素子を有する蓄電装置において有用である。
【符号の説明】
【０１２０】
１、２、３、４、５、６  蓄電装置
１ａ  ハウジング
１０  容器本体
１０ａ  底壁
１０ｂ  側壁
１０ｙ  内側面
１０ｚ  内底面
１０ｚ１  台座
１１、３６、３７、４２、６１  ボルト
２０  蓋部
２０ａ、２０ｂ、３２ａ１、３２ａ２、３５ａ１、３５ｂ１、４１ａ、４１ｂ、５０ａ１、５０ｂ１、３３０ｅ  取付孔
２０ｃ、２０ｄ、３２０ｘ、３３０ｃ  開口
２０ｘ  上面部
２０ｙ  表面
２１ａ、２１ｂ  外部接続端子
２２  排気筒
３０  蓄電モジュール本体
３１  排気口
３２  セルスタック
３２ａ  エンドプレート
３２ｂ  スタックバー
３２ｘ  嵌合穴
３３  バスバーアセンブリユニット
３３ａ、３４ａ  係合爪
３４  電装品サブユニット
３４ｘ  ベース
３４ｙ  サポート部
３４ｙ１、３４ｙ３、３４ｙ６  終端部
３４ｙ２  周縁
３４ｙ５  縁端
３５、３８、４０、５０、６０  サポート部材
３５ａ、３８ａ、４１、５０ａ、５０ｂ  側板部
３５ｂ、３８ｂ  天板部
３５ｃ  接続部
３５ａ２、４１ｃ、５０ｃ  スリット
６０ｘ  ネジ孔
３２０  セルスタック本体
３２０ａ  単電池
３２０ｂ  スペーサ
３２０ａ１、３２０ａ２  電極端子
３２０ａ３  安全弁
３３０ａ  枠体
３３０ｂ  下段面
３３０ｄ  中段面
３３０ｆ、３３０ｇ  係合溝
３３０ｘ  溝部
３３１、３３３  遮熱体
３３１ａ、３３３ａ  遮熱本体板
３３１ｂ  貫通孔
３３１ｃ  取付ネジ
３３２ａ、３３２ｂ、３３２ｃ  バスバー
３３２ａ１、３３２ｂ１  取付端子部
３３３ｂ  補助板
【図１】
2016072230.tif 000003
【図２】
2016072230.tif 000004
【図３】
2016072230.tif 000005
【図４】
2016072230.tif 000006
【図５】
2016072230.tif 000007
【図６】
2016072230.tif 000008
【図７】
2016072230.tif 000009
【図８】
2016072230.tif 000010
【図９】
2016072230.tif 000011
【図１０】
2016072230.tif 000012
【図１１Ａ】
2016072230.tif 000013
【図１１Ｂ】
2016072230.tif 000014
【図１１Ｃ】
2016072230.tif 000015
【図１２】
2016072230.tif 000016